(57)【要約】【課題】  一方ではコネクタピンの容易な取付及び回路基板のコネクタピンとの容易なプレスばめ結合を可能とし、他方では第２のアクセス開口部及びこれに伴う第２のカバーがシール要素と共に不要となるような、制御機器ケーシングの製造のための方法及びこの方法により製造された制御機器ケーシングを提案すること。【解決手段】  当該制御機器ケーシング内部に配置されたコネクタピン１８，２０を備えた制御機器ケーシングの製造のための方法において、制御機器ケーシングが回路基板３４のはめ込みのためのアクセス開口部を備えて形成され、コネクタピン１８，２０が、制御機器ケーシングの側壁部１０の範囲に配置されたコネクタピン１８，２０として、該コネクタピンの第１の接触端部２２，２４がアクセス開口部へ向けて配向されるとともにコネクタピンの第２の接触端部２６，２８が側壁部１０を貫通して外方へ突出するよう形成される。
2015512116.tif 000002
【特許請求の範囲】
【請求項１】
当該制御機器ケーシング内部に配置された複数のコネクタピン（１８，２０）を備えた制御機器ケーシング（２）の製造のための方法であって、前記コネクタピンが、それぞれ、前記制御機器ケーシング（２）へはめ込まれる回路基板（３４）とのプレスばめ結合のための、ケーシング内部へ向いた第１の接触端部（２２，２４）と、電気コネクタ又はこれに類するものの接続のための、前記制御機器ケーシング（２）から外方へ向いた第２の接触端部（２６，２８）とを備えている、前記方法において、
前記制御機器ケーシング（２）が、片側が開放されつつ前記回路基板（３４）のはめ込みのためのアクセス開口部（１４）を備えたコネクタおけ部として形成されること、及び前記コネクタピン（１８，２０）が、本質的に直角に曲げられ、かつ、前記制御機器ケーシング（２）の１つの側壁部（１０）の範囲に配置されたコネクタピン（１８，２０）として、該コネクタピンの前記第１の接触端部（２２，２４）が前記アクセス開口部（１４）へ向けて配向されるとともに前記コネクタピンの前記第２の接触端部（２６，２８）が前記側壁部（１０）を貫通して外方へ突出するよう形成されることを特徴とする方法。
【請求項２】
前記制御機器ケーシング（２）が合成樹脂で製造されることを特徴とする請求項１記載の方法。
【請求項３】
前記コネクタピン（１８，２０）が、合成樹脂を用いたインサート成形によって前記制御機器ケーシング（２）に結合されることを特徴とする請求項１又は２記載の方法。
【請求項４】
複数の前記コネクタピン（１８，２０）が１つの共通のコネクタピン支持部材（３０）内に配置されること、及び前記コネクタピン支持部材（３０）及び前記コネクタピン（１８，２０）で形成されたアセンブリが全体として合成樹脂を用いたインサート成形によって前記制御機器ケーシング（２）に結合されることを特徴とする請求項１〜３のいずれか１項に記載の方法。
【請求項５】
前記コネクタピン（１８，２０）が、取付過程を通して前記コネクタピン支持部材（３０）に結合されることを特徴とする請求項４記載の方法。
【請求項６】
前記コネクタピン（１８，２０）及び前記コネクタピン支持部材（３０）が、合成樹脂−射出成形過程を通して互いに結合されることを特徴とする請求項４記載の方法。
【請求項７】
前記コネクタピン（１８，２０）の前記第２の接触端部（２６，２８）を包囲しつつ外方へ開放したコネクタケーシング（３２）が、前記制御機器ケーシング（２）の１つの前記側壁部（１０）へ射出成形されることを特徴とする請求項１〜６のいずれか１項に記載の方法。
【請求項８】
前記コネクタピン（１８，２０）と前記制御機器ケーシング（２）の間の結合又は前記コネクタピン（１８，２０）と前記コネクタピン支持部材（３０）の間の結合及び前記コネクタピン支持部材（３０）と前記制御機器ケーシング（２）の間の結合が、該制御機器ケーシング（２）を内部に対してシールしつつなされることを特徴とする請求項１〜７のいずれか１項に記載の方法。
【請求項９】
当該制御機器ケーシング内部に配置された複数のコネクタピン（１８，２０）を備えた制御機器ケーシング（２）であって、前記コネクタピンが、それぞれ、前記制御機器ケーシング（２）へはめ込まれる回路基板（３４）とのプレスばめ結合のための、ケーシング内部へ向いた第１の接触端部（２２，２４）と、電気コネクタの接続のための、前記制御機器ケーシング（２）から外方へ向いた第２の接触端部（２６，２８）とを備えている、前記制御機器ケーシングにおいて、
当該制御機器ケーシング（２）が、片側が開放されつつ前記回路基板（３４）のはめ込みのためのアクセス開口部（１４）を備えたコネクタおけ部として形成されること、及び前記コネクタピン（１８，２０）が、本質的に直角に曲げられ、かつ、前記制御機器ケーシング（２）の１つの側壁部（１０）の範囲に配置されたコネクタピンとして、該コネクタピンの前記第１の接触端部（２２，２４）が前記アクセス開口部（１４）へ向けて配向されるとともに前記コネクタピンの前記第２の接触端部（２６，２８）が前記側壁部（１０）を貫通して外方へ突出するよう形成されていることを特徴とする制御機器ケーシング。
【請求項１０】
前記制御機器ケーシング（２）が合成樹脂で製造されていることを特徴とする請求項９記載の制御機器ケーシング。
【請求項１１】
複数の前記コネクタピン（１８，２０）が１つの共通のコネクタピン支持部材（３０）内に配置されていること、及び前記コネクタピン支持部材（３０）及び前記コネクタピン（１８，２０）で形成されたアセンブリが全体として合成樹脂を用いたインサート成形によって前記制御機器ケーシング（２）に結合されていることを特徴とする請求項１０記載の制御機器ケーシング。
【請求項１２】
前記コネクタピン（１８，２０）及び前記コネクタピン支持部材（３０）が合成樹脂を用いたインサート成形によって互いに結合されていることを特徴とする請求項１１記載の制御機器ケーシング。
【請求項１３】
前記コネクタピン（１８，２０）の前記第２の接触端部（２６，２８）を包囲する、外方へ開放したコネクタケーシング（３２）が当該制御機器ケーシング（２）の１つの側壁部（１０）に配置されていることを特徴とする請求項９〜１２のいずれか１項に記載の制御機器ケーシング。
【請求項１４】
前記コネクタピン（１８，２０）と前記制御機器ケーシング（２）の間の結合又は前記コネクタピン（１８，２０）と前記コネクタピン支持部材（３０）の間の結合及び前記コネクタピン支持部材（３０）と前記制御機器ケーシング（２）の間の結合が、空気、水又は油のような媒体が外部から当該制御機器ケーシング（２）へ浸入し得ないようにシールして形成されていることを特徴とする請求項９〜１３のいずれか１項に記載の制御機器ケーシング。
【発明の詳細な説明】
【技術分野】
【０００１】
本発明は、当該制御機器ケーシング内部に配置された複数のコネクタピンを備えた制御機器ケーシングの製造のための方法であって、前記コネクタピンが、それぞれ、前記制御機器ケーシングへはめ込まれる回路基板とのプレスばめ結合のための、ケーシング内部へ向いた第１の接触端部と、電気コネクタ又はこれに類するものの接続のための、前記制御機器ケーシングから外方へ向いた第２の接触端部とを備えている、前記方法に関するものであるとともに、この方法により製造された制御機器ケーシングに関するものでもある。
【背景技術】
【０００２】
上記のような制御機器ケーシングは、この制御ケーシングが例えば車両制御部の制御構成要素を収容する特に現代の車両構造における使用において見られるものであり、車両制御部は、コネクタを介して各センサ及び制御されるべき機能要素に接続されている。電子回路を収容する回路基板の制御機器ケーシングへのはめ込み後、制御部を不都合な環境条件から保護するために、この制御機器ケーシングは、適合するカバーを用いて、及びこのカバーに割り当てて設けられたシール要素によって、媒体に対して密に閉鎖される。冒頭に記載した種類の公知の制御機器ケーシングは、例えば、当該コネクタフレーム内に形成されつつコネクタピンを収容するための複数の材料突起部を備えた、２方向へ開放したコネクタフレームを含んでいる。これら材料突起部には、貫通孔又はこれに類するものが形成されており、これには、割り当てられた貫通孔からコネクタピンの両接触端部が突出するよう直線状のコネクタピンがはめ込まれる。このとき、それぞれ１つの第１の、制御機器ケーシングへはめ込まれる制御基板とのプレスばめ結合のための、ケーシング内部へ向いた第１の接触端部と、回路基板の取付後に閉鎖される制御機器ケーシングから突出し、かつ、コネクタの接続のための他の第２の接触端部とが設けられている。
【０００３】
公知の制御機器ケーシングの欠点は、プレスばめ結合を用いた回路基板の取付時にコネクタピンへ作用する取付力が、コネクタピンがこれに形成されたショルダ部によって支持される、割り当てられた下側金型によって受容される必要があり、これにより、取付技術的に比較的手間がかかってしまうことにある。そのほか、上述の取付技術により、制御機器ケーシングがまずは２つのアクセス開口部を有するコネクタフレームとして形成されることが不可欠であり、この制御機器ケーシングにおいては、回路基板のはめ込みのためのアクセス開口部に対向して位置する、下側金型の配置のためのアクセス開口部が必要となる。したがって、回路基板の取付後に制御機器ケーシングを媒体に対して密に閉鎖するために、それぞれ割り当てられたシール要素を有する２つのカバーが必要となってしまう。
【発明の概要】
【発明が解決しようとする課題】
【０００４】
このような背景から、本発明の課題は、一方では制御機器ケーシングにおけるコネクタピンのより容易な取付及び回路基板とコネクタピンとのより容易なプレスばめ結合を可能とし、他方では第２のアクセス開口部及びこれに伴う第２のカバーが、割り当てられたシール要素と共に不要となるような、制御機器ケーシングの製造のための方法及びこの方法により製造された制御機器ケーシングを提案することにある。
【課題を解決するための手段】
【０００５】
上記課題の解決手段は、製造方法に対しては請求項１の特徴によりもたらされ、ケーシングに関しては請求項９の特徴によりもたらされる。本発明の好ましい形態及び発展形成は、それぞれ割り当てられた従属請求項から理解し得る。
【０００６】
本発明は、本質的に直角に曲げられた、当該コネクタピンの第２の接触端部において制御機器ケーシングの側壁部を貫通して案内されたコネクタピンの使用によって、一方では回路基板のプレスばめ結合過程における取付力が下側金型なしに直接ケーシングに受容されることができ、そのため、第１のアクセス開口部に対向して配置された第２のアクセス開口部したがって第２のカバー並びに第２のシール要素がもはや不要であるという認識に基づいている。
【０００７】
したがって、本発明は、まず、当該制御機器ケーシング内部に配置された複数のコネクタピンを備えた制御機器ケーシングの製造のための方法であって、前記コネクタピンが、それぞれ、前記制御機器ケーシングへはめ込まれる回路基板とのプレスばめ結合のための、ケーシング内部へ向いた第１の接触端部と、電気コネクタ又はこれに類するものの接続のための、前記制御機器ケーシングから外方へ向いた第２の接触端部とを備えている、前記方法に基づいている。ここで、上記課題の解決のために、前記制御機器ケーシングが、片側が開放されつつ前記回路基板のはめ込みのためのアクセス開口部を備えたコネクタおけ部として形成され、前記コネクタピンが、本質的に直角に曲げられ、かつ、前記制御機器ケーシングの１つの側壁部の範囲に配置されたコネクタピンとして、該コネクタピンの前記第１の接触端部が前記アクセス開口部へ向けて配向されるとともに前記コネクタピンの前記第２の接触端部が前記側壁部を貫通して外方へ突出するよう形成されるように構成されている。
【０００８】
上述のように、コネクタピンは、特に制御機器ケーシングの側壁部に固定されたその第２の接触端部を介して、回路基板のプレスばめ結合過程時に取付力を直接受容することが可能であり、その結果、この取付力の受容のための下側金型がもはや不要である。その結果として、第１のアクセス開口部に対向して位置する第２のアクセス開口部したがってカバー及びこのような第２のアクセス開口部の閉鎖のためのシール要素を省略することが可能である。
【０００９】
好ましくは、制御機器ケーシングは合成樹脂で製造される。しかし、この制御機器ケーシングを金属で製造することも可能である。それぞれの材料選択は、外部から制御機器ケーシングへ作用する大きさに従うものである。
【００１０】
本発明による製造方法の形態に対応して、前記コネクタピンが、合成樹脂を用いたインサート成形によって前記制御機器ケーシングに結合される。コネクタピンのこのインサート成形は、好ましくは制御機器ケーシングの製造時に、合成樹脂−射出成型過程中になされる。射出成形によって製造される合成樹脂製品のインサート成形は、金属コネクタピンの制御機器ケーシングへの挿入のための特に簡易な方法であるとともに、合成樹脂材料におけるこのコネクタピンの特に密接した固定を保証するものである。
【００１１】
本発明の他の形態によれば、複数の前記コネクタピンが１つの共通のコネクタピン支持部材内に配置され、前記コネクタピン支持部材及び前記コネクタピンで形成されたアセンブリが全体として合成樹脂を用いたインサート成形によって前記制御機器ケーシングに結合されるようになっている。コネクタピンをアセンブリにまとめることで、コネクタピンは、後に制御機器ケーシング内に有すべき互いの正確な配置及び配向をすでに有している。そのため、制御機器ケーシングのための射出成形型における個々のコネクタピンの配置及び配向に対して、かなりの製造単純化が生じる。
【００１２】
コネクタピンは、合成樹脂−射出成形過程を通して押し込むことによってコネクタピン支持部材に結合されることができる。製造技術的に簡易な別の方法によれば、前記コネクタピン及び前記コネクタピン支持部材が、合成樹脂−射出成形過程を通して結合されるようになっている。その後は、コネクタピン支持部材が、第２の射出成形過程又はスナップフィットを通して制御機器ケーシングに係合式又は嵌合式に結合される。
【００１３】
第２の接触端部をカウンタコネクタに結合可能なコネクタ装置へ形成するために、本発明の別の形態によれば、実施例において後述するように、前記コネクタピンの前記第２の接触端部を包囲しつつ外方へ開放したコネクタケーシングが、前記制御機器ケーシングの１つの前記側壁部へ射出成形されるようになっている。
【００１４】
前記コネクタピンと前記制御機器ケーシングの間の結合又は前記コネクタピンと前記コネクタピン支持部材の間の結合及び前記コネクタピン支持部材と前記制御機器ケーシングの間の結合が、好ましくは外部がら空気、水、油のような媒体が制御機器ケーシングへ浸入し得ないようなされる。
【００１５】
したがって、上述した製造方法によって、当該制御機器ケーシング内部に配置された複数のコネクタピンを備えた制御機器ケーシングであって、前記コネクタピンが、それぞれ、前記制御機器ケーシングへはめ込まれる回路基板とのプレスばめ結合のための、ケーシング内部へ向いた第１の接触端部と、電気コネクタの接続のための、前記制御機器ケーシングから外方へ向いた第２の接触端部とを備えている、前記制御機器ケーシングが提供される。この制御機器ケーシングは、当該制御機器ケーシングが、片側が開放されつつ前記回路基板のはめ込みのためのアクセス開口部を備えたコネクタおけ部として形成されること、及び前記コネクタピンが、本質的に直角に曲げられ、かつ、前記制御機器ケーシングの１つの側壁部の範囲に配置されたコネクタピンとして、該コネクタピンの前記第１の接触端部が前記アクセス開口部へ向けて配向されるとともに前記コネクタピンの前記第２の接触端部が前記側壁部を貫通して外方へ突出するよう形成されていることを特徴としている。
【００１６】
この制御機器ケーシングは、好ましくは合成樹脂から成るが、金属で製造されることも可能である。
【００１７】
アクセス開口部を通して、各コネクタピンに割り当てられた収容開口部を有する回路基板がコネクタピンへ押圧され（プレスばめ結合）、このとき、コネクタピンに作用する取付力は、このコネクタピン自体、特に曲げられてコネクタ壁部に固定された第２の接触端部を介して受容される。制御機器ケーシングの閉鎖のためには、適当なシール要素を備えつつアクセス開口部に載置された唯一のカバーで十分である。
【００１８】
前述したように、複数の前記コネクタピンが好ましくは１つの共通のコネクタピン支持部材内に配置されており、前記コネクタピン支持部材及び前記コネクタピンで形成されたアセンブリが全体として合成樹脂を用いたインサート成形又はスナップフィットによって前記制御機器ケーシングに結合されている。コネクタピンの第２の接触端部に割り当てられた制御機器ケーシングの側壁部には好ましくはアセンブリの第２の接触端部を包囲するコネクタケーシングが配置されており、このコネクタケーシング内では、カウンタコネクタが挿入され、この第２の接触端部と電気的に接続され得る。
【００１９】
前記コネクタピンと前記制御機器ケーシングの間の結合又は前記コネクタピンと前記コネクタピン支持部材の間の結合及び前記コネクタピン支持部材と前記制御機器ケーシングの間の結合が、空気、水又は油のような媒体が外部から当該制御機器ケーシングへ浸入し得ないようにシールして形成されている。
【００２０】
本発明は、実施例に基づき更に説明される。これについて、本明細書には図面が添付されている。
【図面の簡単な説明】
【００２１】
【図１】おけ底部から見たおけ状の制御機器ケーシングを示す図である。
【図２】図１における切断線ＩＩ−ＩＩに基づく断面図である。
【図３】制御機器ケーシングの電気的な接続装置を有する図２に基づく拡大された詳細を示す図である。
【発明を実施するための形態】
【００２２】
特に図１及び図２に示されているように、制御機器ケーシング２は、本質的に長方形の輪郭を有しつつおけ状に形成されている。この制御機器ケーシング２は、底壁部４と、この底壁部４に結合されて互いに対向した２つの長い側壁部６，８と、底壁部４に結合されて互いに対向した２つの短い側壁部１０，１２とを含んでいる。
【００２３】
制御機器ケーシング２は底壁部４に対向してアクセス開口部１４を備えており、このアクセス開口部を通して少なくとも１つの電子回路を備えた回路基板３４が、制御機器ケーシング２へはめ込まれるとともに、プレスばめ結合によって、制御機器ケーシング２に統合されたコネクタピン１８，２０に結合され得る。図２にはこのような回路基板３４が取り付けられた状態において示されており、この回路基板は、上述のコネクタピン１８，２０によって、及び底壁部４の内側に配置された相違して形成された複数の保持ピン１６を介してプレスばめ結合によって制御機器ケーシング２に結合されている。
【００２４】
第１の短い側壁部１０の範囲には直角に曲げられた複数のコネクタピン１８，２０が配置されており、これらコネクタピンの第１の接触端部２２，２４は、制御機器ケーシング２の内部へ、及びアクセス開口部１４へ向けて配向されている。また、コネクタピンの第２の接触端部２６，２８は、図３に基づいて後述するように、本質的に第１の短い側壁部１０を貫通して外方へ突出している。各側壁部の外側にはネジ孔２３を備えた複数の結合部２１が配置されており、このネジ孔には、アクセス開口部１４を閉鎖する不図示のカバーの固定のために固定ネジが螺合することができるようになっている。
【００２５】
図３には、図２に基づく細部ＩＩＩが拡大して示されている。この図示においては、切断線ＩＩ−ＩＩに対応する断面に位置する２つのコネクタピン１８，２０が示されている。ここで、これらコネクタピン１８，２０が、それぞれ紙面に対して垂直に連続して配置され、それゆえ共に２列のコネクタピングループを形成するコネクタピンの列を示していることが分かる。各列には、例えば１２個のコネクタピンが隣り合って配置されることが可能である。
【００２６】
コネクタピン１８，２０は、認識可能に、それぞれ１つの制御機器ケーシング２の内部へ、及びアクセス開口部１４へ向けて配向された第１の接触端部２２，２４と、第１の短い側壁部１０を貫通して外方へ突出した第２の接触端部２６，２８とを有している。第１の接触端部２２，２４は、プレスばめ結合によって制御機器ケーシング２へはめ込まれた回路基板３４に結合されている。一方、第２の接触端部２６，２８は雄型の電気コネクタを形成しており、この電気コネクタは、雌型の電気的なカウンタコネクタあるいは雌型の電気的なプラグに接触される。
【００２７】
図３に示されているように、コネクタピン１８，２０は、共通のコネクタピン支持部材３０に配置されており、このコネクタピン支持部材は、当該コネクタピン支持部材側でインサート成形又はスナップフィットによって制御機器ケーシング２に固結されている。コネクタピン１８，２０は、適宜の適合な様式で制御機器ケーシング２の射出成形前にコネクタピン支持部材３０に例えば取付過程を通して、又は前置された合成樹脂射出成形過程を通して結合される。
【００２８】
図３において、電気コネクタを形成するコネクタピン１８，２０の接触端部２６，２８が外方へ開口したコネクタケーシング３２によって包囲されていることが分かる。このコネクタケーシングは、接触端部２６，２８を保護するとともに、不図示の雌型の電気的なカウンタコネクタをコネクタの製造時に機械的に案内するものである。このコネクタケーシング３２は、制御機器ケーシング２の射出成形時にこの制御機器ケーシングへ成形される。
【図１】
2015512116.tif 000003
【図２】
2015512116.tif 000004
【図３】
2015512116.tif 000005
【国際調査報告】
2015512116.tif 000006
2015512116.tif 000007
2015512116.tif 000008
2015512116.tif 000009